(57)【要約】【課題】雌側案内部及び雄側被案内体の破損を防止し、好適に位置決めが可能な基板接続用コネクタの提供。【解決手段】ソケット７の両端部にガイド穴２２を有する雌側案内部８，８を備え、プラグ４の両端部にガイド穴２２に嵌合される雄側被案内体９，９を備え、プラグ４には、少なくとも雄側被案内体９の長手方向端面を覆う被案内片１２を一体に有する金属製の雄側補強金具１３を備え、ソケット７には、少なくともガイド穴２２の長手方向の内周面部に配置された案内片３０を一体に有する金属製の雌側補強金具３１を備え、被案内片１２及び案内片３０には、それぞれ相手側端縁部に誘導部１４，３２を一体に有し、誘導部１２，３２を互いに突き合わせ摺動させることにより案内片３０の内側に雄側被案内体９が誘導されるようにした基板接続用コネクタ１。【選択図】図２
2015220005.tif 000002
【特許請求の範囲】
【請求項１】
側面部に導電金属性の複数のプラグ側信号端子が配設された突条状のプラグ部を有するプラグと、前記各プラグ部が挿入されるプラグ挿入溝の互いに対向する内側面部に導電金属性の複数のソケット側信号端子が配設されたソケットとを備え、
前記ソケットの両端部にガイド穴を有する雌側案内部を備え、前記プラグの両端部に前記ガイド穴に嵌合される雄側被案内体を備え、前記プラグとソケットとを接続する際、前記雄側被案内体を前記ガイド穴に案内させることにより、前記各プラグ部が前記各プラグ挿入溝の所望の位置で嵌合されるようにした基板接続用コネクタにおいて、
前記プラグには、少なくとも前記雄側被案内体の長手方向端面を覆う被案内片を一体に有する金属製の雄側補強金具を備え、
前記ソケットには、少なくとも前記ガイド穴の長手方向の内周面部に配置された案内片を一体に有する金属製の雌側補強金具を備え、
前記各被案内片及び前記各案内片には、それぞれ相手側端縁部に誘導部を一体に有し、該誘導部を互いに突き合わせ摺動させることにより前記案内片の内側に前記雄側被案内体が誘導されるようにしたことを特徴とする基板接続用コネクタ。
【請求項２】
前記雄側補強金具は、前記雄側被案内体の短手方向両側端面を覆う被案内片を一体に有し、前記雌側補強金具には、短手方向で互いに対向する前記ガイド穴の内周面部に配置され、ガイド穴内に突出した一対の挟持片を備え、前記雄側補強金具及び雌側補強金具には、実装基板に接続される基板接続端子片を備えた請求項１に記載の基板接続用コネクタ。
【請求項３】
前記雌側補強金具は、前記雌側案内部の短手方向各周壁に埋設される補強片部を備え、前記挟持片は、基端が前記補強片部に一体に支持された支持バネ片と、該支持バネ片の上端より内側に折り返した折り返し部と、該折り返し部の先端より延出し、前記ガイド穴内に突出した弾性接触部とを備えたバネ状に形成された請求項２に記載の基板接続用コネクタ。
【請求項４】
前記雌側補強金具は、前記雌側案内部の長手方向端部周壁に埋設される補強片部を備え、前記案内片は、前記補強片部の上縁に折り返し部を介して支持され、該折り返し部が前記誘導部を形成する請求項１〜３の何れか１項に記載の基板接続用コネクタ。
【請求項５】
前記雄側補強金具に前記雄側被案内体の下面を覆う支持板部を備え、前記各被案内片は、前記支持板部の周縁に折り返えし部を介して支持され、該折り返し部が前記誘導部を形成する請求項１〜４の何れか１項に記載の基板接続用コネクタ。
【発明の詳細な説明】
【技術分野】
【０００１】
本発明は、基板と基板とを接続するための基板対基板用コネクタに関する。
【背景技術】
【０００２】
従来、基板と基板との接続には、側面部に複数のプラグ側信号端子が配設された突条状のプラグ部を有するプラグと、各プラグ部が挿入されるプラグ挿入溝の互いに対向する内側面部に複数のソケット側信号端子が配設されたソケットとを備えた基板接続用コネクタが使用されている。
【０００３】
この基板接続用コネクタには、ソケットの両端部にそれぞれ凹穴状のガイド穴を有する雌側案内部を備えるとともに、プラグの両端部にガイド穴に嵌合される雄側被案内体を備え、雄側被案内体をガイド穴に案内させつつ嵌め込むことにより、各プラグ部が各プラグ挿入溝の所望の位置で嵌合され、両信号端子が互いに接触するようになっている（例えば、特許文献１を参照）。
【０００４】
このような基板接続用コネクタでは、雌側案内部に雄側被案内体を円滑に嵌め込む為、ガイド穴と雄側被案内体との嵌め合い公差には一定の余裕が設けられており、また、雌側案内部の上面開口縁部にテーパ状の誘導部が形成されるとともに、雄側被案内体の下面周縁部にテーパ状の誘導部が形成され、ソケットとプラグを接続する際、両誘導部が互いに突き合わされ、その状態から互いに摺動することにより被案内体が雌側案内部に誘導され、ソケットとプラグとの長手方向及び短手方向の位置ずれを吸収できるようにしている。
【０００５】
一方、このような基板接続用コネクタでは、雌側案内部の周壁部に金属製の補強金具を埋設し、雌側案内部の強度を補強したものも知られている。
【先行技術文献】
【特許文献】
【０００６】
【特許文献１】特開２０１０−９７７２４号公報
【発明の概要】
【発明が解決しようとする課題】
【０００７】
しかしながら、上述の如き従来の技術では、雄側被案内体を雌側案内部に案内させる際、雌側案内部の誘導部及び雄側被案内体の誘導部の両方又は一方が絶縁樹脂により形成されていると、両誘導部が互いに突き合わされた際、剛性不足により誘導部が押し潰れて変形したり、樹脂同士が擦れて切削屑が発生したりする虞があった。
【０００８】
そこで、本発明は、このような従来の問題に鑑み、雌側案内部及び雄側被案内体の破損を防止し、好適に位置決めが可能な基板接続用コネクタの提供を目的としてなされたものである。
【課題を解決するための手段】
【０００９】
上述の如き従来の問題を解決し、所期の目的を達成するための請求項1に記載の発明の特徴は、側面部に導電金属性の複数のプラグ側信号端子が配設された突条状のプラグ部を有するプラグと、前記各プラグ部が挿入されるプラグ挿入溝の互いに対向する内側面部に導電金属性の複数のソケット側信号端子が配設されたソケットとを備え、前記ソケットの両端部にガイド穴を有する雌側案内部を備え、前記プラグの両端部に前記ガイド穴に嵌合される雄側被案内体を備え、前記プラグとソケットとを接続する際、前記雄側被案内体を前記ガイド穴に案内させることにより、前記各プラグ部が前記各プラグ挿入溝の所望の位置で嵌合されるようにした基板接続用コネクタにおいて、前記プラグには、少なくとも前記雄側被案内体の長手方向端面を覆う被案内片を一体に有する金属製の雄側補強金具を備え、前記ソケットには、少なくとも前記ガイド穴の長手方向の内周面部に配置された案内片を一体に有する金属製の雌側補強金具を備え、前記各被案内片及び前記各案内片には、それぞれ相手側端縁部に誘導部を一体に有し、該誘導部を互いに突き合わせ摺動させることにより前記案内片の内側に前記雄側被案内体が誘導されるようにした基板接続用コネクタにある。
【００１０】
請求項２に記載の発明の特徴は、請求項１の構成に加え、前記雄側補強金具は、前記雄側被案内体の短手方向両側端面を覆う被案内片を一体に有し、前記雌側補強金具には、短手方向で互いに対向する前記ガイド穴の内周面部に配置され、ガイド穴内に突出した一対の挟持片を備え、前記雄側補強金具及び雌側補強金具には、実装基板に接続される基板接続端子片を備えたことにある。
【００１１】
請求項３に記載の発明の特徴は、請求項２の構成に加え、前記雌側補強金具は、前記雌側案内部の短手方向各周壁に埋設される補強片部を備え、前記挟持片は、基端が前記補強片部に一体に支持された支持バネ片と、該支持バネ片の上端より内側に折り返した折り返し部と、該折り返し部の先端より延出し、前記ガイド穴内に突出した弾性接触部とを備えたバネ状に形成されたことにある。
【００１２】
請求項４に記載の発明の特徴は、請求項１〜３の何れか１項の構成に加え、前記雌側補強金具は、前記雌側案内部の長手方向端部周壁に埋設される補強片部を備え、前記案内片は、前記補強片部の上縁に折り返し部を介して支持され、該折り返し部が前記誘導部を形成することにある。
【００１３】
請求項５に記載の発明の特徴は、請求項１〜４の何れか１項の構成に加え、前記雄側補強金具に前記雄側被案内体の下面を覆う支持板部を備え、前記各被案内片は、前記支持板部の周縁に折り返えし部を介して支持され、該折り返し部が前記誘導部を形成することにある。
【発明の効果】
【００１４】
本発明に係る基板接続用コネクタは、上述したように、側面部に導電金属性の複数のプラグ側信号端子が配設された突条状のプラグ部を有するプラグと、前記各プラグ部が挿入されるプラグ挿入溝の互いに対向する内側面部に導電金属性の複数のソケット側信号端子が配設されたソケットとを備え、前記ソケットの両端部にガイド穴を有する雌側案内部を備え、前記プラグの両端部に前記ガイド穴に嵌合される雄側被案内体を備え、前記プラグとソケットとを接続する際、前記雄側被案内体を前記ガイド穴に案内させることにより、前記各プラグ部が前記各プラグ挿入溝の所望の位置で嵌合されるようにした基板接続用コネクタにおいて、前記プラグには、少なくとも前記雄側被案内体の長手方向端面を覆う被案内片を一体に有する金属製の雄側補強金具を備え、前記ソケットには、少なくとも前記ガイド穴の長手方向の内周面部に配置された案内片を一体に有する金属製の雌側補強金具を備え、前記各被案内片及び前記各案内片には、それぞれ相手側端縁部に誘導部を一体に有し、該誘導部を互いに突き合わせ摺動させることにより前記案内片の内側に前記雄側被案内体が誘導されるようにしたことにより、互いに突き合わせ摺動させる誘導部がそれぞれ金属材で形成されているので、剛性不足による潰れ等による変形を防止でき、摺動時に生じる樹脂部分の削り屑の発生を防止することができる。
【００１５】
また、本発明において、前記雄側補強金具は、前記雄側被案内体の短手方向両側端面を覆う被案内片を一体に有し、前記雌側補強金具には、短手方向で互いに対向する前記ガイド穴の内周面部に配置され、ガイド穴内に突出した一対の挟持片を備え、前記雄側補強金具及び雌側補強金具には、実装基板に接続される基板接続端子片を備えたことにより、ガイド穴と雄側被案内体の嵌め合い公差範囲においてガイド穴に対し雄側被案内体が短手方向の一方に片寄って嵌合されても常に何れか一方の案内片が所望の接触圧以上で接触するので、高い接触安定性を確保することができる。また、ガイド穴の内周面部に配置されたバネ状の両案内片で雄側被案内体を挟み持つので、振動や衝撃が生じてもソケットにプラグを高い保持力で保持させることができる。
【００１６】
更に、本発明において、前記雌側補強金具は、前記雌側案内部の短手方向各周壁に埋設される補強片部を備え、前記挟持片は、基端が前記補強片部に一体に支持された支持バネ片と、該支持バネ片の上端より内側に折り返した折り返し部と、該折り返し部の先端より延出し、前記ガイド穴内に突出した弾性接触部とを備えたことにより、雌側案内部の強度を高めることができるとともに、挟持片をガイド穴の内周面部に容易に組み込むことができる。
【００１７】
また、本発明において、前記雌側補強金具は、前記雌側案内部の長手方向端部周壁に埋設される補強片部を備え、前記案内片は、前記補強片部の上縁に折り返し部を介して支持され、該折り返し部が前記誘導部を形成することにより、雌側案内部の強度を高めることができるとともに、挟持片をガイド穴の内周面部に容易に組み込むことができる。
【００１８】
また、本発明において、前記雄側補強金具に前記雄側被案内体の下面を覆う支持板部を備え、前記各被案内片は、前記支持板部の周縁に折り返えし部を介して支持され、該折り返し部が前記誘導部を形成することにより、被案内片を容易に雄側被案内体に組み込むことができる。
【図面の簡単な説明】
【００１９】
【図１】本発明に係る基板接続用コネクタの一例を示す斜視図である。
【図２】（ａ）は同上の縦断面図、（ｂ）は同Ａ−Ａ線断面図である。
【図３】同上の分解斜視図である。
【図４】（ａ）は図１中のプラグを示す正面図、（ｂ）は同底面図、（ｃ）は同Ｂ−Ｂ線縦断面図、（ｄ）は同Ｃ−Ｃ線断面図である。
【図５】（ａ），（ｂ）は図５中の雄側補強金具を示す斜視図である。
【図６】（ａ）は図１中のソケットを示す正面図、（ｂ）は同平面図、（ｃ）は同Ｄ−Ｄ線縦断面図、（ｄ）は同Ｅ−Ｅ線断面図である。
【図７】（ａ），（ｂ）は図５中の雌側補強金具を示す斜視図である。
【図８】接続時の雌側案内部部分の状態を示す部分拡大断面図である。
【発明を実施するための形態】
【００２０】
次に、本発明に係る基板接続用コネクタの実施の態様を図１〜図８に示した実施例に基づいて説明する。尚、符号１は基板対基板の接続に使用される基板接続用コネクタである。
【００２１】
また、本実施例において、長手方向とは、コネクタの長手方向（図２（ａ）中の左右方向、）をいい、短手方向とは、コネクタの短手方向（図２（ｂ）中の左右方向）をいい、上下方向とは、コネクタの厚み方向（図２中の上下方向）をいう。
【００２２】
基板接続用コネクタ１は、側面部に複数のプラグ側信号端子２，２...が配設された突条状のプラグ部３，３を有するプラグ４と、各プラグ部３，３が挿入されるプラグ挿入溝５，５の互いに対向する内側面部に複数のソケット側信号端子６，６...が配設されたソケット７とを備え、基板に実装されたプラグ４とソケット７とを互いに接続することにより、プラグ４とソケット７とがそれぞれ実装された両実装基板間を電気的に接続するようになっている。
【００２３】
この基板接続用コネクタ１には、ソケット７の両端部に凹穴状のガイド穴２２を有する雌側案内部８，８を備えるとともに、プラグ４の両端部に雌側案内部８，８に嵌合される雄側被案内体９，９を備え、雄側被案内体９をガイド穴２２に案内させつつ雌側案内部８に嵌め込むことにより、各プラグ部３，３が各プラグ挿入溝５，５の所望の位置で嵌合され、対応する両信号端子２，６が互いに接触するようになっている。
【００２４】
尚、雌側案内部８，８に雄側被案内体９，９を円滑に嵌め込む為、ガイド穴２２と雄側被案内体９，９との嵌め合い公差には一定の余裕が設けられている。
【００２５】
プラグ４は、図４に示すように、突条状のプラグ部３，３を有する絶縁樹脂製のプラグ本体１０を備え、このプラグ本体１０に複数のプラグ側信号端子２，２...がインサート成形により一体的に組み込まれている。
【００２６】
プラグ本体１０は、絶縁性合成樹脂により一体に形成され、平板状の基部１１と、基部１１の表面より突出した長手方向に延びる突条状のプラグ部３，３と、長手方向両端部に配置された雄側被案内体９，９とを備え、基部１１と両プラグ部３，３とをもってコ字状断面がコネクタ長手方向に連続した形状を成すとともに、両プラグ部３，３とその両端に配置された雄側被案内体９，９とで矩形枠状を成している。
【００２７】
また、プラグ４には、直方体状に形成された雄側被案内体９の少なくとも長手方向側端面部を覆う金属製の被案内片１２を有する雄側補強金具１３を備え、被案内片１２には、接合側端縁部（下面周縁部）に誘導部（以下、プラグ側誘導部１４という）を一体に有し、このプラグ側誘導部１４をソケット側の誘導部と互いに突き合わせ摺動させることにより雄側被案内体９がガイド穴２２内に誘導されるようになっている。
【００２８】
また、雄側補強金具１３には、雄側被案内体９の短手方向両側端面を覆う一対の被案内片１５，１５を備え、雄側被案内体９，９の外側に一体成形により雄側補強金具１３を組み付けることにより雄側被案内体９，９の三方の側端面が被案内片１２，１５により覆われるようになっている。
【００２９】
雄側補強金具１３は、図５に示すように、導電性金属板材を打ち抜き・折り曲げ加工することにより一体に形成され、矩形平板状の支持板部１６と、支持板部１６の３辺より鉛直方向に折り曲げられた各被案内片１２、１５とを備えている。
【００３０】
各被案内片１２、１５は、支持板部１６の各辺より円弧状に折り曲げられた折り返し部を介して鉛直上向きに延在する矩形状に形成され、雄側補強金具１３がプラグ本体１０に組みつけられることにより金属製の折り返し部が絶縁樹脂からなる角部を覆い、プラグ側誘導部１４を形成するようになっている。
【００３１】
尚、両被案内片１５，１５のプラグ側誘導部１４とは反対側の端縁には、実装基板のパターンに半田等により固定される基板接続端子片１７を一体に備えている。また、被案内片１２の中央には、矩形孔状の係合凹部１８が形成されている。
【００３２】
ソケット７は、図６に示すように、絶縁性樹脂からなるソケット本体２０と、導電性金属材からなる複数のソケット側信号端子６，６...とを備え、ソケット本体２０にソケット側信号端子６，６...を組み込むことにより形成されている。
【００３３】
ソケット本体２０は、絶縁性合成樹脂により一体に形成され、平板状の嵌合部２１と、嵌合部２１の長手方向両端側に配置されたガイド穴２２を有する雌側案内部８，８とを備えている。
【００３４】
嵌合部２１は、平板状の底板部２３のコネクタ幅方向両側縁より立ち上げた形状の側壁部２４，２４と、底板部２３中央部に配置された中央凸部２５とを備え、各側壁部２４，２４と中央凸部２５との間にプラグ部３，３が挿入される凹溝状のプラグ挿入溝５，５がコネクタ幅方向に間隔を置いた平行配置に形成されている。
【００３５】
雌側案内部８，８は、長手方向両端部に配置された長手方向側の周壁部２６と、嵌合部２１の側壁部２４，２４と連続した互いに短手方向で対向する短手方向側の周壁部２７，２７とを備え、周壁部２６、周壁部２７，２７及び嵌合部２１端面に囲まれて上下方向（接続方向）に向けた矩形穴状のガイド穴２２が形成されている。
【００３６】
この雌側案内部８，８には、ガイド穴２２の長手方向の内周面部に配置される金属製の案内片３０を有する雌側補強金具３１が組み付けられ、この案内片３０には、接合側端縁部に誘導部（以下、ソケット側誘導部３２という）を一体に有し、ソケット側誘導部３２をプラグ側誘導部１４と互いに突き合わせ摺動させることにより雄側被案内体９がガイド穴２２内に誘導されるようになっている。
【００３７】
また、雌側補強金具３１には、短手方向で互いに対向するガイド穴２２の内周面部に配置され、ガイド穴２２内に突出した一対の挟持片３３，３３を備え、この両挟持片３３，３３で雄側被案内体９を短手方向で挟持するようになっている。
【００３８】
雌側補強金具３１は、図７に示すように、弾性を有する導電性金属板材を打ち抜き・折り曲げ加工することにより一体に形成され、雌側案内部周壁に埋設されるコ字状の補強部３４を備え、補強部３４にそれぞれ案内片３０及び挟持片３３，３３が支持されている。
【００３９】
補強部３４は、帯状の長手方向側補強片部３５と、長手方向側補強片部の両側縁より鉛直に折り曲げた形状に形成された一対の短手方向側補強片部３６，３６とをもって平面視コ字状を成し、補強部３４が周壁部２６，２７に形成されたコ字状の埋設溝３７に嵌め込まれるようになっている。
【００４０】
また、両補強片部３６，３６の下縁には、実装基板の接続パターンに接続される基板接続端子片３８を備え、この雌雄両補強金具１６、３１を主に基板間の電源接続用に使用するようにしている。
【００４１】
案内片３０は、長手側補強片部３５の上縁より円弧状に折り返した折り返し部（ソケット側誘導部３２）を介して下向きに延出した平板状に形成され、折り返し部が周壁部２６の上縁を覆うことによりソケット側誘導部３２を形成している。
【００４２】
尚、案内片３０の中央下部には、表面より係合突部３９が突出し、この係合突部３９が雄側補強金具１３の被案内片１２に形成された係合凹部１８と互いに係合することにより、プラグ４とソケット７とがロックされるようになっている。
【００４３】
挟持片３３，３３は、基端が補強片部３６に一体に支持された支持バネ片４０と、支持バネ片４０の上端より円弧状に内側に折り返した折り返し部４１と、折り返し部４１の先端より斜め下向きに延出し、ガイド穴２２内に突出した弾性接触部４２とを備え、支持バネ片４０、折り返し部４１及び弾性接触部４２とが補強片部３６に支持されたＵ字ばね状を成している。
【００４４】
この挟持片３３，３３は、雄側被案内体９，９をガイド穴２２内に誘導するとともに、嵌合した後は弾性接触部４２の先端に形成された接点４３がプラグ４の被案内片１３，１３の表面に所望の接触圧で接触するようになっている。
【００４５】
このように構成された基板接続用コネクタ１では、金属製の被案内片１２及び案内片３０のそれぞれ接合側端縁部に誘導部１４，３２を一体に有し、図２（ａ）、図８に示すように、雄側被案内体９をガイド穴２２内へ誘導する際、誘導部１４，３２を互いに突き合わせ摺動させるようにしたことにより、誘導部１４，３２がそれぞれ金属製であるので突き合わされた際に剛性不足による潰れ等の変形を防止でき、摺動時の樹脂の削れが防止できる。
【００４６】
また、この基板接続用コネクで１は、図２（ｂ）に示すように、短手方向で互いに対向する両挟持片３３，３３を弾性接触部がガイド穴２２内に突出したバネ状に形成したことにより、ガイド穴２２と雄側被案内体９，９の嵌め合い公差交差範囲においてガイド穴２２に対し雄側被案内体９，９が短手方向の一方に片寄って嵌合されても常に何れか一方の挟持片３３，３３が所望の接触圧以上で接触するので、高い接触安定性を確保することができる。
【００４７】
また、この基板接続用コネクタ１では、ガイド穴２２の内周面部に配置されたバネ状の両挟持片３３，３３で雄側被案内体９を挟み持つ構造であるので、振動や衝撃が生じてもソケット７にプラグ４を高い保持力で保持させることができる。
【００４８】
尚、挟持片の態様は、上述の実施例に限定されず、例えば、挟持片の折り返し部及び弾性接触部をプラグ側誘導部１５と互いに突き合わされ摺動する誘導部として用いるようにしてもよい。
【００４９】
また、ガイド穴２２の互いに対向する内周面部にバネ状の両挟持片を備えた例について説明したが、挟持片に換えてガイド穴２２の内周面を覆う金属製の案内片を配置し、その案内片の上縁部にプラグ側誘導部１５と互いに突き合わされ摺動することにより雄側被案内体９をガイド穴２２内へ誘導する誘導部を一体に備えるようにしてもよい。
【符号の説明】
【００５０】
１  基板接続用コネクタ
２  プラグ側信号端子
３  プラグ部
４  プラグ
５  プラグ挿入溝
６  ソケット側信号端子
７  ソケット
８  雌側案内部
９  雄側被案内体
１０  プラグ本体
１１  基部
１２  被案内片
１３  雄側補強金具
１４  プラグ側誘導部
１５  被案内片
１６  支持板部
１７  基板接続端子片
１８  係合凹部
２０  ソケット本体
２１  嵌合部
２２  ガイド穴
２３  底板部
２４  側壁部
２５  中央凸部
２６，２７  周壁部
３０  案内片
３１  雌側補強金具
３２  ソケット側誘導部
３３  挟持片
３４  補強部
３５、３６  補強片部
３７  埋設溝
３８  基板接続端子片
３９  係合突部
４０  支持バネ片
４１  折り返し部
４２  弾性接触部
４３  接点
【図１】
2015220005.tif 000003
【図２】
2015220005.tif 000004
【図３】
2015220005.tif 000005
【図４】
2015220005.tif 000006
【図５】
2015220005.tif 000007
【図６】
2015220005.tif 000008
【図７】
2015220005.tif 000009
【図８】
2015220005.tif 000010